(57)【特許請求の範囲】
【請求項１】
１つの入出力端子と、
前記入出力端子におけるアナログオーディオ信号を検出し、検出した前記アナログオーディオ信号に所定の処理を施した処理済み信号を発生するエフェクタ回路と、を備え、
前記処理済み信号は、前記入出力端子における前記アナログオーディオ信号に重畳されるように、前記入出力端子に出力されることを特徴とする一端子エフェクタ。
【請求項２】
前記エフェクタ回路から出力される前記処理済み信号は電圧信号であり、
さらに、前記エフェクタ回路から出力される前記処理済み信号を電流信号に変換する信号変換回路を備え、前記電流信号が前記入出力端子に出力される、請求項１記載のエフェクタ。
【請求項３】
さらに負性インピーダンス回路を含み、前記負性インピーダンス回路は前記入出力端子に接続された負荷インピーダンスを相殺する、請求項１又は２記載の一端子エフェクタ。
【請求項４】
前記負性インピーダンス回路は、前記入出力端子と前記エフェクタ回路との間を接続するフローティングインピーダンス回路として構成される、請求項３記載の一端子エフェクタ。
【請求項５】
当該一端子エフェクタは、
入力端に内部抵抗を介して接続される第１端子および第２端子を備え、前記第１端子には電子楽器が直接接続されるオーディオアンプの前記第２端子に、前記入出力端子を直接接続して使用され、
前記エフェクタ回路は、前記入出力端子における前記アナログオーディオ信号の電圧を検出し、前記所定の処理を施して前記処理済み信号を発生し、
当該一端子エフェクタは、
前記エフェクタ回路から出力される前記所定の処理を施した電圧信号を、前記入出力端子に出力する電流信号に変換する入出力信号変換回路と、
前記入出力端子に接続される前記内部抵抗を相殺する負性インピーダンス回路と、をさらに備える請求項１記載の一端子エフェクタ。
【請求項６】
当該一端子エフェクタは、
電子楽器が直接接続される第１端子と、第２端子と、差動アンプと、電流フィードバック抵抗と、を備え、前記第１端子および前記第２端子は前記差動アンプの入力に接続され、前記電流フィードバック抵抗は前記第２端子と前記差動アンプの出力に接続されるオーディオアンプの前記第２端子に、前記入出力端子を直接接続して使用され、
前記エフェクタ回路は、前記入出力端子における前記アナログオーディオ信号の電圧を検出し、前記所定の処理を施して前記処理済み信号を発生し、
当該一端子エフェクタは、
前記エフェクタ回路から出力される前記処理済み信号を電流信号に変換する信号変換回路を、さらに備え、
前記電流信号が、前記入出力端子に出力される請求項１記載の一端子エフェクタ。
【請求項７】
少なくとも一つの外部エフェクタ機器が、当該一端子エフェクタに直列接続されるように構成された外部接続機構をさらに備える請求項１から６のいずれか一項に記載の一端子エフェクタ。
【請求項８】
１つの入出力機構と、
前記入出力機構におけるアナログオーディオ信号を検出し、検出した前記アナログオーディオ信号に所定の処理を施した処理済み信号を発生し、前記処理済み信号を、前記入出力端子における前記アナログオーディオ信号に重畳されるように、前記入出力端子に出力するエフェクタ回路を内蔵したエフェクタ本体と、を備えることを特徴とするエフェクタ装置。
【請求項９】
さらに、外部接続機構を有し、
前記外部接続機構に接続される少なくとも一つの外部エフェクタ機器は、前記エフェクタ本体内部のエフェクタと直列接続される、請求項５記載のエフェクタ装置。
【発明の詳細な説明】
【０００１】
【発明の属する技術分野】
本発明はエフェクタに関し、特にギターアンプや音響用ミキサー等に外部接続されて所定の音響効果を与える通称エフェクタの回路構成及びその物理構造に関するものである。
【０００２】
【従来の技術】
図１は、従来のエフェクタを使ったギターの接続構成の一例を示したものである。
図１において、ギター１からの接続ケーブルはエフェクタ（Ｆｘ）２の入力端子に接続され、その出力端子は別の接続ケーブルを使ってギターアンプ３のＡ端子に接続される。
【０００３】
ここで、エフェクタ２は最近主流になっているデジタルエフェクタを使用しており、ギター１（他にはマイクロフォン等も使用可能）からの音響信号はエフェクタ２の入力端子側に設けられたＡ／Ｄ変換器によって一旦デジタル信号に変換される。
【０００４】
その信号は内部のＤＳＰ (Digital Signal Processor) を用いたデジタル信号処理によって、例えばディスト−ション、コンプレッサ、リバーブ、コーラス、等の所定の音響効果が与えられ、エフェクタ２の出力端子側に設けられたＤ／Ａ変換器によってアナログ信号に変換されてからギターアンプ３に入力される。
【０００５】
【発明が解決しようとする課題】
このように、従来のエフェクタ２は入出力端子をそれぞれ独立に備えているため、ギター１の演奏にエフェクタを使用する場合は、ギター１とエフェクタ２との間の接続及びエフェクタ２とギターアンプ３との間の接続のために合計２本のケーブルが必要となる。また、ギター演奏に複数台のエフェクタを使用する場合にはそれらの間をさらに接続するケーブルも必要となる。
【０００６】
その結果、ケーブル配線が煩雑になるという問題があり、複数ケーブルの使用によってノイズの増加や高域音響特性の劣化等の音質面でも問題があった。ところで、多くのギタリスト達はギターをギターアンプに直接ケーブル接続することを好み、その間に複雑なケーブル配線やエフェクタ等の電子機器が介在することによって生じる音質の劣化を嫌う傾向にある点も考慮する必要がある。
【０００７】
また、図示はしていないが、そこにミキサーを使用する場合はミキサーのトラック毎に個々のエフェクタを接続する必要がある。そのため、ミキサー側には各エフェクタとの接続のためにトラック毎のセンド／リターン端子（２端子）が必要になる。これによりミキサー自体の外形寸法が制約され、その製造コストが上昇するというエフェクタの接続対象機材にも及ぶ問題があった。
【０００８】
そこで本発明の目的は、上記種々の問題点に鑑み、エフェクタの入出力を共通化する回路を備えることで入出力端子を一端子で構成したエフェクタを提供することにある。本発明のエフェクタを使用することで、ギターをギターアンプに直接ケーブル接続することができ、煩雑なケーブル配線が回避され、それによる音質の劣化も防止される。さらに接続対象機材に対する上記制約も軽減される。
【０００９】
また本発明の目的は、前記入出力を共通化する回路を備えた極めて小型で且つケーブル長の短いエフェクタ構造を提供することにある。これには必要に応じて従来のエフェクタを追加接続することが可能である。
【００１０】
【課題を解決するための手段】
本発明によれば、１つの入出力端子と、前記入出力端子から入力されるアナログオーディオ信号に所定の処理を施してそれをアナログオーディオ信号として前記入出力端子から出力するエフェクタ回路と、で構成する一端子エフェクタが提供される。さらに、前記入力される信号と出力される信号とを相互に異なる電圧信号又は電流信号に変換する入出力信号変換回路が含まれる。
【００１１】
前記一端子エフェクタは、さらに負性インピーダンス回路を含み、前記負性インピーダンスは前記入出力端子に接続された負荷インピーダンスを相殺し、前記入出力端子と前記エフェクタ回路との間を接続するフローティングインピーダンス回路として構成される。
【００１２】
また本発明によれば、１つの入出力機構と、前記入出力機構から入力されるアナログオーディオ信号に所定の処理を施してそれをアナログオーディオ信号として前記入出力機構から出力するエフェクタ回路を内臓したエフェクタ本体と、で構成するエフェクタ装置が提供される。前記装置はさらに外部接続機構を有し、前記外部接続機構に接続される少なくとも一つの外部エフェクタ機器は、前記エフェクタ本体内部のエフェクタと直列接続される。
【００１３】
なお、本発明によるエフェクタ構成は一般の信号処理装置にも適用でき、その装置は、１つの入出力端子と、前記入出力端子から入力される信号に所定の処理を施してそれを前記入出力端子から出力する信号処理回路と、前記入力される信号と出力される信号とを相互に異なる電圧信号又は電流信号に変換する入出力信号変換回路と、で構成される。
【００１４】
【発明の実施の形態】
図２は、本発明による一端子エフェクタの第１の原理構成を示した図である。
図２において、中央の点線より上側は図１のギターアンプ３に相当し、その点線の下側が本発明による一端子エフェクタに相当する。また、図中の白丸はギターアンプ３の入力端子Ａに対応し、図中の黒丸がギターアンプ３の入力端子Ｂに対応する。なお、Ｖｏｕｔ（ｓ）はギターアンプ３内部のアンプ回路への入力信号となる。一方、一端子エフェクタ側は、エフェクタ部（Ｆｘ（ｓ））１２と相互コンダクタンス（ｇｍ）１３とで構成される。
【００１５】
図３は、図２のエフェクタ部１２及び相互コンダクタンス１３の一回路構成例を示している。
図３の（ａ）には、エフェクタ部１２をＡ／Ｄ変換器１４、ＤＳＰ１５、及びＤ／Ａ変換器１６からなるデジタル信号処理回路で構成した例を示している。また、図３の（ｂ）には、相互コンダクタンス１３をトランジスタ回路による電圧−電流変換回路で構成している。本回路では入力（Ｖ）の電位変化をＲａ／Ｒｂ倍した電流（Ｉ）が出力されるためｇｍ＝Ｉ／Ｖである。
【００１６】
図２に戻って、本発明ではギターアンプ３の入力端子Ａ（白丸）へギター１からのケーブルが直接接続される。それにより、差動増幅部１１の一方の入力端子（白丸）にギター１からの信号Ｖｉｎ（ｓ）が入力され、差動増幅部１１の２つの入力端子間はイマジナルショートによって同電位に保たれるから下記式（１）が成立する。
【００１７】
Ｉｏｕｔ（ｓ）＝（Ｖｏｕｔ（ｓ）−Ｖｉｎ（ｓ））／Ｒｆ＝Ｖｉｎ（ｓ）＊Ｆｘ（ｓ）＊ｇｍ  …（１）
上式を整理すると、
Ｖｏｕｔ（ｓ）／Ｖｉｎ（ｓ）＝Ｒｆ＊Ｆｘ（ｓ）＊ｇｍ −１  …（２）
ここで、Ｒｆ＊Ｆｘ（ｓ）＊ｇｍ ＞＞１より、Ｖｏｕｔ（ｓ）＝Ａ＊Ｆｘ（ｓ）＊Ｖｉｎ（ｓ）、Ａは定数となる。このように、ギター１からの信号Ｖｉｎ（ｓ）はエフェクタ効果（Ｆｘ（ｓ））が付与された信号（Ｖｏｕｔ（ｓ））となる。
【００１８】
これを回路動作で説明すると、イマジナルショートによってＶｉｎ（ｓ）がエフェクタ部１２に入力され、そこで所定の音響効果を付加された出力信号が相互コンダクタンス１３によって対応する信号電流に変換される。その信号電流に対応する差動増幅部１１の帰還電流Ｉｏｕｔ（ｓ）が帰還抵抗（Ｒｆ）１１を流れるため、差動増幅部１０の出力としては前記相互コンダクタンス１３からの信号電流に帰還抵抗Ｒｆを乗算した信号（Ｖｏｕｔ（ｓ））が出力される。
【００１９】
図４は、本発明による一端子エフェクタの第２の原理構成を示した図である。
図４でも図中の白丸はギターアンプ３の入力端子Ａに対応し、図中の黒丸がギターアンプ３の入力端子Ｂに対応する。また、エフェクタ部（Ｆｘ（ｓ））２３及び相互コンダクタンス（ｇｍ）２４には、図３の（Ａ）及び（ｂ）で示したものが使用される。ここでも、ギターアンプ３の入力端子Ａ（白丸）にはギター１からのケーブルが直接接続される。
【００２０】
入力信号Ｖｉｎ（ｓ）が加えられると回路内部で生じる各電流Ｉ1（ｓ）、Ｉ2（ｓ）、及びＩ3（ｓ）はＩ1（ｓ）＋Ｉ2（ｓ）＝Ｉ3（ｓ）より下記式（３）が成立する。
（Ｖｉｎ（ｓ）−Ｅｏｕｔ（ｓ））／Ｒ１＋Ｅｏｕｔ（ｓ）＊（Ａｖ−１）／Ｒ２＝Ｅｏｕｔ（ｓ）＊ｇｍ／Ｆｘ（ｓ）…（３）
式（３）の両辺にＲ１、Ｒ２、Ｆｘ（ｓ）をかけると
Ｒ２＊Ｆｘ（ｓ）＊（Ｖｉｎ（ｓ）−Ｅｏｕｔ（ｓ））＋Ｒ１＊Ｆｘ（ｓ）＊Ｅｏｕｔ（ｓ）＊（Ａｖ−１）＝Ｒ１＊Ｒ２＊Ｅｏｕｔ（ｓ）＊ｇｍ
ここで、Ｒ１＝Ｒ２＝Ｒ、Ａｖ＝２とおくと
Ｅｏｕｔ（ｓ）＝Ｆｘ（ｓ）＊Ｖｉｎ（ｓ）／（Ｒ＊ｇｍ）…（４）
となる。
【００２１】
従って、本例でもギターアンプ３内部のアンプ回路に出力される信号Ｖｏｕｔ（ｓ）（＝Ｅｏｕｔ（ｓ））は式（４）よりＶｏｕｔ（ｓ）＝Ａ＊Ｆｘ（ｓ）＊Ｖｉｎ（ｓ）、Ａは定数、の形式となり、ギター１からの信号Ｖｉｎ（ｓ）にエフェクタ効果（Ｆｘ（ｓ））が付与された信号（Ｖｏｕｔ（ｓ））が出力される。なお、本構成では先に述べた第１の原理構成の式（２）における定数項−１が存在しないため、Ｒｆ＊Ｆｘ（ｓ）＊ｇｍ ＞＞１という条件は不要である。
【００２２】
図５は、本発明による一端子エフェクタ３０と従来のエフェクタ２との接続構成の相違を図式的に示したものである。
図５の（ａ）に示すように、本発明による一端子エフェクタ３０は１つの入出力端子（黒丸）に接続され、入力された信号に対して所定の音響効果を付加した信号を同じ端子（黒丸）に出力する。一方、図５の（ｂ）に示す従来のエフェクタ２は入力端子と出力端子とが分離しており、入力端子に入力された信号はエフェクタによって所定の音響効果が与えられて別の出力端子から出力される。
【００２３】
このように、本発明では伝達関数Ｆｘ（ｓ）をもつ信号処理装置を１点で接続するだけで、従来例のようにある信号経路に直列に挿入するのと同様の効果を得ることができる。入力Ｘと出力Ｙとの関係がＹ＝ｆｘ（Ｘ）となる関数を時間変数の関数とみなしてラプラス変換Ｆｘ（ｓ）が存在する関数については、本発明構成により伝達関数Ｆｘ（ｓ）の信号処理装置の入力信号と出力信号を共通の端子を用いて実現できる。例えば、現実の物理現象をシミュレートする場合やアナログの音響信号処理を目的とする信号処理装置では、信号処理装置の入力信号を電圧とし、その出力信号を電流として処理することによって実現できる。
【００２４】
以降では、本発明による一端子エフェクタを実際のギターアンプに適用した例について説明する。
図６は、ギターアンプ３(図１)の入力端子Ａ及びＢの入力回路の一例を示している。各入力端子Ａ及びＢともに同じ抵抗値Ｒを有する入力抵抗３１及び３２を介してギターアンプ３内臓のアンプ回路（ＡＭＰ）へ入力される。
【００２５】
図７には、ギターアンプ３に本発明による一端子エフェクタを接続するための原理構成を示している。
図７の（ａ）において、入力端子Ａにはギター１からのケーブルが直接接続される。一方、入力端子Ｂには本発明による一端子エフェクタ３０が接続される。一端子エフェクタ３０中の負性抵抗値−Ｒを有する抵抗３３は、入力端子Ｂにおける入力回路３２の抵抗値Ｒを相殺するために設けられる。
【００２６】
なお、それとは別の負性抵抗値−Ｒを有する抵抗３４は、先に説明した図４の第２の原理構成における増幅器２６及び抵抗２５によって構成され、第１の原理構成の式（２）における定数項−１を消去してＲｆ＊Ｆｘ（ｓ）＊ｇｍ ＞＞１という条件を不要とするものである。すなわち、ここでは本発明による一端子エフェクタとして図４に示す第２の原理構成を使用している。もし、負性抵抗値−Ｒを有する抵抗３４がないとＶｏｕｔ（ｓ）はＦｘ（ｓ）／（Ｒ＋Ｆｘ（ｓ））となり、分母に不要な項が生じ望ましくない。抵抗３４があればＶｏｕｔ（ｓ）はＦｘ（ｓ）／ＲとなりＶｏｕｔ（ｓ）＝ｋ＊Ｆｘ（ｓ）（Ｋは定数）の関係を満たす。
【００２７】
図７の（ａ）の回路構成は、図７の（ｂ）の回路構成と等価になる。入力端子Ｂの入力抵抗３２は負性抵抗３３によって相殺されるため、その間は直接接続（Ｄ点とＣ点が直結）されることと等価となる。なお、図７の（ｂ）のＤ点は、これまで図２及び図４で説明してきた入力端子Ｂに対応する点（黒丸）に該当する。また、図７の（ａ）及び（ｂ）に記載のＦｘ’３０は図５で説明した一端子エフェクタ回路３０である。
【００２８】
図８は、図７のＢ−Ｃ点間に設けられた負性抵抗３３の原理構成を示したものである。負性抵抗３３は、その両端（Ｂ及びＣ点）に外部負荷が接続できるフローティングインピーダンスとして構成される点で、一方の端子しか外部負荷が接続できない従来の負性インピーダンス（例えば、負性抵抗３４）とは異なる。
【００２９】
図８において、電流Ｉ１及びＩ２は
Ｉ１＝−（Ｖ１＋Ｖ２）＊ｇｍ  …（５）
Ｉ２＝  （Ｖ１＋Ｖ２）＊ｇｍ  …（６）
となり、また外部負荷Ｚは下記式（７）で表せる。なお、外部負荷Ｚとして図２又は図４の構造を有する本発明の一端子エフェクタ３０が接続される。
Ｚ＝Ｖ２／Ｉ２＝Ｖ２／｛（Ｖ１＋Ｖ２）＊ｇｍ｝  …（７）
この式（７）を展開すれば下記式（８）となる。
Ｖ２＝Ｖ１＊Ｚ＊ｇｍ／（１−Ｚ＊ｇｍ）…（８）
【００３０】
これより、Ｂ点の入力インピーダンス（Ｚｉｎ）は、Ｚｉｎ＝Ｖ１／Ｉ１に式（５）及び（８）を代入して、
0004454189.tif 000002
と求まる。ここで、−（１／ｇｍ）＝−ＲとおくとＢ点の入力インピーダンスは、Ｚｉｎ＝Ｚ−Ｒとなって外部負荷Ｚと負性抵抗―Ｒとの直列接続になる。
【００３１】
図９には、ＯＰアンプを用いて図７のフローティング負性抵抗３３を実現する一実施例を示いる。
図９において、フローティング負性抵抗を実現させるとは、Ｄ点とＣ点とを同電位 Ｄ（Ｖ）＝Ｃ（Ｖ）にすることを目的とするので、これをＶとすると、電流Ｉ１、Ｉ２及び外部負荷Ｚは、以下の式（１０）、（１１）、及び（１２）の関係を満たす。
0004454189.tif 000003
【００３２】
これらの関係式から式（１３）が得られる。
Ｖ／Ｉ１＝Ｚｉｎ＝（（ＲＬ＋Ｒ−Ｒｐ）＊Ｚ）／（２＊Ｚ＋Ｒｐ）…（１３）
式（１３）において、Ｒ＜＜ＲＬ，Ｒ＜＜Ｒｐとすると
Ｚｉｎ≒（（ＲＬ−Ｒｐ）＊Ｚ）／（２＊Ｚ＋Ｒｐ）…（１４）
となり、（１４）でＲＬ＝２Ｒｐとおくと
Ｚｉｎ≒（Ｒｐ＊Ｚ）／（２＊Ｚ＋Ｒｐ）…（１５）
となる。さらに、Ｚ＜＜Ｒｐとすると
Ｚｉｎ≒Ｚ…（１６）
となってＢ点とＣ点との間にＲ３２の影響を相殺する負性抵抗−Ｒのフローティング負性抵抗が実現される。
【００３３】
図１０は、本発明による一端子エフェクタの具体的な実施例を示したものである。
図１０には、図４に示した本発明の第２の原理を用いた一端子エフェクタ３５をＯＰアンプ回路で実現した具体例を示しており、図９で説明したフローティング負性インピーダンス回路も含まれている。フローティング負性インピーダンス回路３３については図９で説明してあるため、ここでは一端子エフェクタ３０をＯＰアンプ回路で実現した部分について図１４を用いて説明する。
【００３４】
入力信号Ｖｉｎ（ｓ）が加えられると回路内部で生じる各電流Ｉ１（ｓ）、Ｉ２（ｓ）及びＩ３（ｓ）は、Ｉ１（ｓ）＋Ｉ２（ｓ）＝Ｉ３（ｓ）より下記式（１７）が成立する。但し、ａはＦｘ（ｓ）の入力と共通の入力をもつ増幅器の利得、ｂは負性抵抗を実現するのに用いられる増幅器の利得とする。
（Ｖｉｎ（ｓ）−Ｖｏｕｔ（ｓ））／Ｒ＋Ｖｏｕｔ（ｓ）＊（ｂ−１）／Ｒ０＝Ｖｏｕｔ（ｓ）＊（１−ａ／Ｆｘ（ｓ））／Ｒ  …（１７）
式（１７）を整理すると、
Ｖｏｕｔ（ｓ）＝（Ｒ０＊Ｖｉｎ（ｓ））／（Ｒ０−Ｒ＊（ｂ−１）＋Ｒ０−Ｒ０＊ａ／Ｆｘ（ｓ））…（１８）
となる。
【００３５】
ここで、分母の内のＲ０−Ｒ＊（ｂ−１）＋Ｒ０の部分がゼロとなるように
Ｒ０＝Ｒ＊（ｂ−１）／２…（１９）
とすれば、式（１８）は、Ｖｏｕｔ（ｓ）＝ｋ＊Ｆｘ（ｓ）Ｖｉｎ（ｓ）（ｋは定数）の関係を満足する。なお、図１０では、ａ＝−１、ｂ＝２としてＲ０＝Ｒ／２の例を上げたがＢ＝３としてＲ０＝Ｒとすることで式（１９）を満たす別の定数とすることもできる。
【００３６】
次に、図１０の回路構成を有する一端子エフェクタであって、極めて小型で且つケーブル長の短いエフェクタ構造の一例について説明する。従来技術の問題点のところでも述べたように、従来の小型のギター用エフェクタは電子部品を集積化しても入力および出力のジャックの寸法が決まるため、その小型化には限界があった。それに対し、本発明によれば入出力端子が共通化できるため、よりコンパクトな装置が実現できる。
【００３７】
図１１には、本発明による一端子エフェクタ装置４０の外形構造の一例を示している。図１１の（ａ）はその側面図であり、図１１の（ｂ）は背面図である。図１１において、４１は入出力プラグ、４２はボリューム、４３はエフェクタ種別の選択ダイヤル、４４は電源スイッチ、４５は外部エフェクタ接続用のステレオジャックである。４６はエフェクタ本体であり、その中には電源回路や図１０のエフェクタ回路３０の全てが含まれる。
【００３８】
図１２は、本発明による一端子エフェクタ４０を使ったギターの接続構成の一例を示したものであり、従来例の図１に相当するものである。
図１２に示すように、ギター１はギターアンプ３の入力端子Ａに直接ケーブル接続される。一方、本発明による一端子エフェクタ４０はギターアンプ３の入力端子Ｂに直接接続される。従って、本発明による一端子エフェクタ４０を１個だけ使用する場合には、エフェクタ接続用のケーブルは不要である。前述したように、本発明による一端子エフェクタ４０は外部エフェクタ接続用のステレオジャック４５を備えており、ここには従来のエフェクタ２をシリーズに複数個接続することができる。
【００３９】
図１３は、従来のエフェクタ２が外部接続される一端子エフェクタ４０の内部構造の一例を示したものである。
図１３の（ａ）には外部エフェクタ接続用のステレオジャック４５にスイッチ付きのものを使用した例を、そして図１３の（ｂ）には従来のエフェクタ２を接続するステレオプラグ４７の一例を示している。このステレオプラグ４７をスイッチ付きのステレオジャック４５に差し込むと、スイッチが切り替わって一端子エフェクタ４０の内臓エフェクタ３５と外部エフェクタ２とがシリーズに結線される。ステレオプラグ４７が挿入されていない状態では内臓エフェクタ３５のみが有効結線される。
【００４０】
【発明の効果】
以上述べたように、本発明によるエフェクタでは１つの入出力端子だけが使用されるため、従来のエフェクタにおける配線の煩雑さが回避され、またケーブル配線に伴うノイズの増加や高域音響特性の劣化等が防止される。同時に、ギタリスト達がエフェクタ等を介さずに自身のギターを直接ギターアンプへケーブル接続したいという要望も満足させることができる。
【００４１】
また本発明によれば、入出力端子の共通化によってよりコンパクトなエフェクタ装置が提供でき、それを１個だけ使用する場合にはエフェクタ用の配線は不要である。また、従来エフェクタとの同時使用も少ない配線で実現できる。さらに、ミキサー等の入出力端子が多数必要となる機器の外形寸法の制約が排除され、その製造コストも軽減される。
【図面の簡単な説明】
【図１】従来のエフェクタを使ったギターの接続構成の一例を示した図である。
【図２】本発明による一端子エフェクタの第１の原理構成を示した図である。
【図３】図２のエフェクタ部及び相互コンダクタンスの一回路構成例を示した図である。
【図４】本発明による一端子エフェクタの第２の原理構成を示した図である。
【図５】本発明による一端子エフェクタ３０と従来のエフェクタ２との接続構成の相違を図式的に示した図である。
【図６】ギターアンプの入力端子Ａ及びＢの入力回路の一例を示した図である。
【図７】ギターアンプに本発明による一端エフェクタを接続するための原理構成を示した図である。
【図８】フローティング構成の負性インピーダンスの構成原理を示した図である。
【図９】図８のフローティング負性インピーダンスの一実施例を示した図である。
【図１０】本発明による一端子エフェクタの具体的な実施例を示した図である。
【図１１】本発明による一端子エフェクタ装置の外形構造の一例を示した図である。
【図１２】本発明による一端子エフェクタを使ったギター接続構成の一例を示した図である。
【図１３】従来のエフェクタが外部接続される一端子エフェクタの内部構造の一例を示した図である。
【図１４】本発明による一端子エフェクタの実施例を示した図である。
【符号の説明】
１…ギター
２…従来のエフェクタ
３…ギターアンプ
１０、２２…差動アンプ
１１、２１、２５…抵抗
１２、２３…エフェクタ回路
１３、２４…相互コンダクタンス
１５…信号処理プロセッサ
２６、２７…アンプ
３０…一端子エフェクタ回路
３５…ギターアンプ入力に対応した一端子エフェクタ回路
３６…ギターアンプ入力に対応した一端子エフェクタ回路の等価回路
４０…一端子エフェクタ装置
４１…入出力プラグ
４２…ボリューム
４３…エフェクタ種別選択ダイヤル
４５…ステレオジャック
４６…エフェクタ本体
４７…ステレオプラグ
【図１】
0004454189.tif 000004
【図２】
0004454189.tif 000005
【図３】
0004454189.tif 000006
【図４】
0004454189.tif 000007
【図５】
0004454189.tif 000008
【図６】
0004454189.tif 000009
【図７】
0004454189.tif 000010
【図８】
0004454189.tif 000011
【図９】
0004454189.tif 000012
【図１０】
0004454189.tif 000013
【図１１】
0004454189.tif 000014
【図１２】
0004454189.tif 000015
【図１３】
0004454189.tif 000016
【図１４】
0004454189.tif 000017